(57)【要約】【課題】ユーザーにとって最適な再生を可能とすること。【解決手段】スピーカー１は、周囲の音を集音するマイク４と、マイク４により集音された音が、所定値以上変化した場合、スピーカーに出力する信号のゲインを変化させるＤＳＰ３と、を備える。ＤＳＰ３は、スピーカーに出力する信号が、音声信号である場合、音声帯域（３００Ｈｚ〜４．８ｋＨｚ）のゲインを変化させる。ＤＳＰ３は、スピーカーに出力する信号が、音楽信号である場合、全帯域のゲインを変化させる。【選択図】図１
2020155826.tif 000002
【特許請求の範囲】
【請求項１】
周囲の音を集音するマイクと、
前記マイクにより集音された音が、所定値以上変化した場合、スピーカーに出力する信号のゲインを変化させる信号処理部と、
を備えることを特徴とするスピーカー装置。
【請求項２】
前記信号処理部は、前記スピーカーに出力する信号が、音声信号である場合、所定帯域のゲインを変化させることを特徴とする請求項１に記載のスピーカー装置。
【請求項３】
前記所定帯域は、音声帯域であることを特徴とする請求項２に記載のスピーカー装置。
【請求項４】
前記信号処理部は、前記スピーカーに出力する信号が、音楽信号である場合、全帯域のゲインを変化させることを特徴とする請求項１〜３のいずれか１項に記載のスピーカー装置。
【請求項５】
前記信号処理部は、前記スピーカーに出力する信号が、音楽信号である場合、音楽信号に対して、音楽信号用のイコライザーを実行することを特徴とする請求項１〜４のいずれか１項に記載のスピーカー装置。
【請求項６】
前記信号処理部は、前記スピーカーに出力する信号が、音声信号である場合、音声信号に対して、音声信号用のイコライザーを実行することを特徴とする請求項１〜５のいずれか１項に記載のスピーカー装置。
【請求項７】
前記所定値は、±４ｄＢであることを特徴とする請求項１〜６のいずれか１項に記載のスピーカー装置。
【請求項８】
制御部を更に備え、
前記制御部は、音楽信号のタグ情報に含まれているゲインの情報に基づいて、音楽信号のゲインを調整することを特徴とする請求項１〜７のいずれか１項に記載のスピーカー装置。
【請求項９】
制御部を更に備え、
前記制御部は、音楽信号であるか音声信号であるかを前記信号処理部に通知することを特徴とする請求項１〜７のいずれか１項に記載のスピーカー装置。
【請求項１０】
前記信号処理部は、前記制御部から通知される音楽信号であるか音声信号であるかの情報に基づいて、経路を切り替えることを特徴とする請求項９に記載のスピーカー装置。
【請求項１１】
前記信号処理部は、設定音量下におけるノイズを、変化させるゲインとすることを特徴とする請求項１〜１０のいずれか１項に記載のスピーカー装置。
【請求項１２】
前記信号処理部は、前記マイクにより集音された音にエコーキャンセルを行うことを特徴とする請求項１〜１１のいずれか１項に記載のスピーカー装置。
【請求項１３】
前記信号処理部は、前記エコーキャンセルを行った音のノイズレベルを検出することを特徴とする請求項１２に記載のスピーカー装置。
【請求項１４】
前記信号処理部は、前記マイクにより集音された音が、所定値以上増加した場合、スピーカーに出力する信号のゲインを増加させることを特徴とする請求項１〜１３のいずれか１項に記載のスピーカー装置。
【請求項１５】
前記信号処理部は、前記マイクにより集音された音が、所定値以上減少した場合、スピーカーに出力する信号のゲインを減少させることを特徴とする請求項１〜１４のいずれか１項に記載のスピーカー装置。
【発明の詳細な説明】
【技術分野】
【０００１】
本発明は、スピーカー装置に関する。
【背景技術】
【０００２】
音声認識機能を利用し、例えば、ユーザーからの質問に対して、回答を音声合成して出力するスピーカー装置がある。このようなスピーカー装置の普及により、ユーザーは、同じ装置で、音声と音楽とを楽しむ機会が増加している。スピーカー装置において、音量設定は、ユーザーが設定した一定の値となるため、周囲の騒音レベルが上昇すると、ユーザーは、音声情報を聞き取れなくなる。また、周囲の音声レベルが減少すると、ユーザーは、音声情報を「うるさい」と不快に感じる。特許文献１では、装置の置かれている周囲の騒音の大小に基づいて再生する音量を制御することにより、適切な音量で再生する発明が開示されている。
【先行技術文献】
【特許文献】
【０００３】
【特許文献１】特開２０００−１１２７１０号公報
【発明の概要】
【発明が解決しようとする課題】
【０００４】
特許文献１では、単に周囲の騒音の大小に基づいて再生する音量を制御するため、周囲の騒音が大きいと、出力される音量も大きくなり、ユーザーは、「うるさい」と感じる。周囲の騒音が小さいと、出力される音量が小さくなり、ユーザーは、「聞こえない」と感じる。このように、特許文献１に記載の発明には、ユーザーにとって最適な音量ではないという問題がある。
【０００５】
本発明の目的は、ユーザーにとって最適な再生を可能とすることである。
【課題を解決するための手段】
【０００６】
第１の発明のスピーカー装置は、周囲の音を集音するマイクと、前記マイクにより集音された音が、所定値以上変化した場合、スピーカーに出力する信号のゲインを変化させる信号処理部と、を備えることを特徴とする。
【０００７】
本発明では、信号処理部は、マイクにより集音された音が、所定値以上変化した場合、スピーカーに出力する信号のゲインを変化させる。これにより、スピーカーから出力される信号のゲインが、ノイズの変化量に追従することになり、ユーザーにとって最適な再生を行うことができる。
【０００８】
第２の発明のスピーカー装置は、第１の発明のスピーカー装置において、前記信号処理部は、前記スピーカーに出力する信号が、音声信号である場合、所定帯域のゲインを変化させることを特徴とする。
【０００９】
本発明では、信号処理部は、スピーカーに出力する信号が、音声信号である場合、所定帯域のゲインを変化させる。例えば、信号処理部は、音声帯域（３００Ｈｚ〜４．８ｋＨｚ）のゲインを変化させる。これにより、ユーザーは、音声を聴きやすくなる。
【００１０】
第３の発明のスピーカー装置は、第２の発明のスピーカー装置において、前記所定帯域は、音声帯域であることを特徴とする。
【００１１】
第４の発明のスピーカー装置は、第１〜第３のいずれかの発明のスピーカー装置において、前記信号処理部は、前記スピーカーに出力する信号が、音楽信号である場合、全帯域のゲインを変化させることを特徴とする。
【００１２】
第５の発明のスピーカー装置は、第１〜第４のいずれかの発明のスピーカー装置において、前記信号処理部は、前記スピーカーに出力する信号が、音楽信号である場合、音楽信号に対して、音楽信号用のイコライザーを実行することを特徴とする。
【００１３】
本発明では、信号処理部は、スピーカーに出力する信号が、音楽信号である場合、音楽信号に対して、音楽信号用のイコライザーを実行する。これにより、音楽信号に適したイコライザーが実行される。
【００１４】
第６の発明のスピーカー装置は、第１〜第５のいずれかの発明のスピーカー装置において、前記信号処理部は、前記スピーカーに出力する信号が、音声信号である場合、音声信号に対して、音声信号用のイコライザーを実行することを特徴とする。
【００１５】
本発明では、信号処理部は、スピーカーに出力する信号が、音声信号である場合、音声信号に対して、音声信号用のイコライザーを実行する。これにより、音声信号に適したイコライザーが実行される。
【００１６】
第７の発明のスピーカー装置は、第１〜第６のいずれかの発明のスピーカー装置において、前記所定値は、±４ｄＢであることを特徴とする。
【００１７】
第８の発明のスピーカー装置は、第１〜第７のいずれかの発明のスピーカー装置において、制御部を更に備え、前記制御部は、音楽信号のタグ情報に含まれているゲインの情報に基づいて、音楽信号のゲインを調整することを特徴とする。
【００１８】
本発明では、制御部は、音楽信号のタグ情報に含まれているゲインの情報に基づいて、音楽信号のゲインを調整する（リプレイゲイン）。これにより、信号レベルが一定となる。
【００１９】
第９の発明のスピーカー装置は、第１〜第７のいずれかの発明のスピーカー装置において、制御部を更に備え、前記制御部は、音楽信号であるか音声信号であるかを前記信号処理部に通知することを特徴とする。
【００２０】
第１０の発明のスピーカー装置は、第９の発明のスピーカー装置において、前記信号処理部は、前記制御部から通知される音楽信号であるか音声信号であるかの情報に基づいて、経路を切り替えることを特徴とする。
【００２１】
本発明では、信号処理部は、制御部から通知される音楽信号であるか音声信号であるかの情報に基づいて、経路を切り替える。これにより、信号処理部は、経路切り替えのために、信号を解析する必要がないため、計算量が多くならない。
【００２２】
第１１の発明のスピーカー装置は、第１〜第１０のいずれかの発明のスピーカー装置において、前記信号処理部は、設定音量下におけるノイズを、変化させるゲインとすることを特徴とする。
【００２３】
第１２の発明のスピーカー装置は、第１〜第１１のいずれかの発明のスピーカー装置において、前記信号処理部は、前記マイクにより集音された音にエコーキャンセルを行うことを特徴とする。
【００２４】
本発明では、信号処理部は、マイクにより集音された音にエコーキャンセルを行う。これにより、スピーカー装置からの出力による音量の変化が防止される。また、マイクにより集音された音から、騒音（ノイズ）が抽出される。
【００２５】
第１３の発明のスピーカー装置は、第１２の発明のスピーカー装置において、前記信号処理部は、前記エコーキャンセルを行った音のノイズレベルを検出することを特徴とする。
【００２６】
第１４の発明のスピーカー装置は、第１〜第１３のいずれかの発明のスピーカー装置において、前記信号処理部は、前記マイクにより集音された音が、所定値以上増加した場合、スピーカーに出力する信号のゲインを増加させることを特徴とする。
【００２７】
第１５の発明のスピーカー装置は、第１〜第１４のいずれかの発明のスピーカー装置において、前記信号処理部は、前記マイクにより集音された音が、所定値以上減少した場合、スピーカーに出力する信号のゲインを減少させることを特徴とする。
【発明の効果】
【００２８】
本発明によれば、ユーザーにとって最適な再生を行うことができる。
【図面の簡単な説明】
【００２９】
【図１】本発明の実施形態に係るスピーカー装置の構成を示すブロック図である。
【図２】音量設定を受け付けた場合のスピーカー装置の処理動作を示すフローチャートである。
【図３】音声信号、又は、音楽信号を再生する場合のスピーカー装置の処理動作を示すフローチャートである。
【図４】音声信号、又は、音楽信号を再生する場合のスピーカー装置の処理動作を示すフローチャートである。
【図５】音声信号、又は、音楽信号を再生する場合のスピーカー装置の処理動作を示すフローチャートである。
【発明を実施するための形態】
【００３０】
以下、本発明の実施形態について説明する。図１は、本発明の実施形態に係るスピーカー装置１の構成を示すブロック図である。スピーカー装置１は、ユーザーからの質問、命令等を受け付け、受け付けた質問、命令等をサーバーに送信し、サーバーから送信される音声信号、音楽信号等を再生する。例えば、ユーザーが、「今日の天気は」と質問した場合、スピーカー装置１は、サーバーから送信される「今日の天気は晴れです」という音声信号を再生する。また、ユーザーが、「タイトルＡの曲を再生」と命令した場合、サーバーから送信される「タイトルＡ」の音楽信号を再生する。
【００３１】
図１に示すように、スピーカー装置１は、ＣＰＵ２、ＤＳＰ３、マイク４等を備える。ＣＰＵ（Central Processing Unit）２は、スピーカー装置１を構成する各部を制御する。ＤＳＰ（Digital Signal Processor）３は、イコライザー等の各種の信号処理を行う。マイク４は、周囲の音を集音する。ＤＳＰ３は、マイク４が集音した音にエコーキャンセル（ＥＣ）を行う。エコーキャンセルにより、スピーカー装置１からの出力による音量の変化が防止される。また、マイクにより集音された音から、騒音（ノイズ）が抽出される。
【００３２】
ＤＳＰ３は、エコーキャンセルを行った音のノイズレベルを検出（ノイズ判別）する。また、ＤＳＰ３は、ノイズレベルに基づいて、ゲインを設定する。ＣＰＵ２は、入力される信号が、音楽信号であるか、音声信号であるかを判別し、ＤＳＰ３に音楽信号であるか、音声信号であるかを通知する。また、ＣＰＵ２は、音楽信号である場合、タグ情報に含まれているゲインの情報に基づいて、ゲインを調整する（リプレイゲイン）。リプレイゲインにより、信号レベルが一定となる。ＤＳＰ３には、ＣＰＵ２を経由して、音楽信号又は音楽信号が出力される。音声信号である場合、ＣＰＵ２は、音声信号をスルーして、そのままＤＳＰ３に出力する。
【００３３】
ＤＳＰ３は、スピーカー（後述するＤ／Ａコンバータ）に出力する信号が、音楽信号である場合、ＣＰＵ２から出力される音楽信号に対して、音楽信号用のイコライザーを実行する（音楽ＥＱ）。これにより、音楽信号に適したイコライザーが実行される。また、ＤＳＰ３は、スピーカー（Ｄ／Ａコンバータ）に出力する信号が、音声信号である場合、ＣＰＵ２から出力される音声信号に対して、音声信号用のイコライザーを行う（音声ＥＱ）。これにより、音声信号に適したイコライザーが実行される。
【００３４】
ＤＳＰ３は、ＣＰＵ２からの音楽信号であるか、音声信号であるかの情報に基づいて、いずれかの経路（音楽信号の経路、又は、音声信号の経路）を選択する（経路を切り替える）。ＤＳＰ３から出力されたデジタル信号は、Ｄ／Ａコンバータにより、アナログ信号にＤ／Ａ変換される。Ｄ／Ａコンバータから出力されたアナログ信号は、増幅器により、増幅される。増幅器から出力されたアナログ信号は、スピーカーに入力される。スピーカーは、アナログ音声信号に基づいて、音声を出力する。
【００３５】
ＤＳＰ３は、マイク４により集音された音が、±４ｄＢ（所定値）以上変化した場合、スピーカーに出力するゲインを変化させる。以下、変化させるゲインの決定について、説明する。変化させるゲインの決定は、ユーザーによる音量設定が、スピーカー装置１に受け付けられた場合に実行される。
【００３６】
図２は、音量設定を受け付けた場合のスピーカー装置１の処理動作を示すフローチャートである。ユーザーは、操作部等により、スピーカー装置１の音量設定を行う。スピーカー装置１は、ユーザーによる音量設定を受け付ける。ＤＳＰ３は、ｉ＝０、ｔ＝平均化回数に設定する（Ｓ１）。次に、ＤＳＰ３は、エコーキャンセル（ＥＣ）を行う（Ｓ２）。ここで、Ｎ＿ＥＣは、エコーキャンセル（ＥＣ）後の値である。
【００３７】
次に、ＤＳＰ３は、ノイズ（Ｎ＿ＥＣ）をＦＦＴ（高速フーリエ変換（Fast Fourier Transform））し、Ｎ＿ｄａｔａ［ｉ］［］に格納する（Ｓ３）。次に、ＤＳＰ３は、Ｎ＿ｄａｔａ［］［］の各列の平均をＮ＿ａｖｇ［］に格納する（Ｓ４）。次に、ＤＳＰ３は、ｉ＝＝ｔであるか否かを判断する（Ｓ５）。ＤＳＰ３は、ｉ＝＝ｔでないと判断した場合（Ｓ５：Ｎｏ）、Ｓ２の処理を実行する。ＤＳＰ３は、ｉ＝＝ｔであると判断した場合（Ｓ５：Ｙｅｓ）、信号（Ｓ）が音声信号であるか否かを判断する（Ｓ６）。ＤＳＰ３は、信号（Ｓ）が音声信号であると判断した場合（Ｓ６：Ｙｅｓ）、帯域を３００Ｈｚ〜４．８ｋＨｚとし、Ｖ＿Ｇａｉｎとして、Ｇａｉｎの値を保持する（Ｓ７）。ＤＳＰ３は、信号（Ｓ）が音声信号でないと判断した場合（Ｓ６：Ｎｏ）、帯域を全帯域とし、Ｖ＿Ｇａｉｎとして、Ｇａｉｎの値を保持する（Ｓ８）。
【００３８】
ユーザーは、スピーカー装置１の音量設定を行っているが、これは、周囲の騒音（ノイズ）に対して、好みの音量（信号）を設定していることとなる。ＤＳＰ３は、周囲のノイズレベルを、変化させるゲインとすることで、ユーザーの設定した音量に対して、ノイズレベル同等のゲイン変化が実行されるため、ユーザーの好みのＳＮが保たれることとなる。変化させるゲインの情報と音源データとは、エコーキャンセルに用いられる。
【００３９】
上述のように、周囲の騒音が、±４ｄＢ以上変化した場合、スピーカーに出力される信号のゲインが変化される。従って、周囲の騒音が、±４ｄＢ以上変化しなければ、スピーカーに出力される信号のゲインは、そのままである。例えば、ユーザーが、音声を聞き取りやすいと感じるには、聞き取った音声に対して、ユーザーによる聞き取った音声の回答の正答率が、５０％以上必要であると考える。正答率５０％を聞き取りやすい下限と考えると、その場合のＳ−Ｎ［ｄＢ］は、例えば、５［ｄＢ］である。また、正答率８０%は、ノイズ無付加時と同等の正解率であり、Ｓ−Ｎ［ｄＢ］は、例えば、１３［ｄＢ］である。ユーザーが設定するＳＮを５０％と８０％との中間程度であると仮定すると、聞き取りやすいゲイン差は、下限・上限に±４ｄＢの余裕がある。この±４ｄＢをゲイン切り替えのマージンとして用いている。
【００４０】
以下、音声信号、又は、音楽信号を再生する場合のスピーカー装置１の処理動作を、図３〜図５に示すフローチャートに基づいて説明する。ＤＳＰ３は、Ｖ＿ｇａｉｎを音声再生時のゲイン、Ｍ＿ｇａｉｎを音楽再生時のゲインに設定する（Ｓ１１）。次に、ＤＳＰ３は、ｉ＝０、ｔ＝平均化回数に設定する（Ｓ１２）。次に、ＤＳＰ３は、エコーキャンセル（ＥＣ）を行う（Ｓ１３）。Ｎ＿ＥＣは、エコーキャンセル（ＥＣ）後の値である。
【００４１】
次に、ＤＳＰ３は、ノイズ（Ｎ＿ＥＣ）をＦＦＴし、Ｎ＿ｄａｔａ［ｉ］［］に格納する（Ｓ１４）。次に、ＤＳＰ３は、Ｎ＿ｄａｔａ［］［］の各列の平均をＮ＿ａｖｇ［］に格納する（Ｓ１５）。次に、ＤＳＰ３は、ｉ＝＝ｔであるか否かを判断する（Ｓ１６）。ＤＳＰ３は、ｉ＝＝ｔでないと判断した場合（Ｓ１６：Ｎｏ）、Ｓ１３の処理を実行する。ＤＳＰ３は、ｉ＝＝ｔであると判断した場合（Ｓ１６：Ｙｅｓ）、ｉ＝０に設定する（Ｓ１７）次に、ＤＳＰ３は、エコーキャンセル（ＥＣ）を行う（Ｓ１８）、Ｎ＿ＥＣは、エコーキャンセル（ＥＣ）後の値である。
【００４２】
次に、ＤＳＰ３は、ノイズ（Ｎ＿ＥＣ）をＦＦＴし、Ｎ＿ｄａｔａ［ｉ］［］に格納する（Ｓ１９）。次に、ＤＳＰ３は、Ｎ＿ｄａｔａ［］［］の各列の平均をＮ＿ａｖｇ［］に格納する（Ｓ２０）。次に、ＤＳＰ３は、信号（Ｓ）が音声信号であるか否かを判断する（Ｓ２１）。ＤＳＰ３は、信号（Ｓ）が音声信号であると判断した場合（Ｓ２１：Ｙｅｓ）、帯域を３００Ｈｚ〜４．８ｋＨｚとし、音声帯域のノイズ変化量を計算する（Ｓ２２）。具体的には、ＤＳＰ３は、ノイズ変化量ｄｉｆＮ＝Ｎ＿ａｖｇ−ｍｅａｓＮ＿ａｖｇを計算する。次に、ＤＳＰ３は、スイッチ（ＳＷ）を音声経路に設定する（Ｓ２３）。次に、ＤＳＰ３は、−４＜ｄｉｆＮ＜４であるか否かを判断する（Ｓ２４）。
【００４３】
ＤＳＰ３は、−４＜ｄｉｆＮ＜４であると判断した場合（Ｓ２４：Ｙｅｓ）、Ｇａｉｎとして、Ｖ＿ｇａｉｎを維持する（Ｓ２５）。ＤＳＰ３は、−４＜ｄｉｆＮ＜４でないと判断した場合（Ｓ２４：Ｎｏ）、Ｖ＿ｇａｉｎ＝Ｖ＿ｇａｉｎ−ｄｉｆＮを計算し、ＧａｉｎをＶ＿ｇａｉｎとする（Ｓ２６）。また、ＤＳＰ３は、Ｎ＿ａｖｇを、ｍｅａｓＮ＿ａｖｇとする。
【００４４】
ＤＳＰ３は、信号（Ｓ）が音声信号でないと判断した場合（Ｓ２１：Ｎｏ）、帯域を全帯域とし、音声帯域のノイズの変化量を計算する（Ｓ２７）。具体的には、ＤＳＰ３は、ノイズ変化量ｄｉｆＮ＝Ｎ＿ａｖｇ−ｍｅａｓＮ＿ａｖｇを計算する。次に、ＤＳＰ３は、スイッチ（ＳＷ）を音楽経路に設定する（Ｓ２８）。次に、ＤＳＰ３は、−４＜ｄｉｆＮ＜４であるか否かを判断する（Ｓ２９）。
【００４５】
ＤＳＰ３は、−４＜ｄｉｆＮ＜４であると判断した場合（Ｓ２９：Ｙｅｓ）、Ｇａｉｎとして、Ｖ＿ｇａｉｎを維持する（Ｓ３０）。ＤＳＰ３は、−４＜ｄｉｆＮ＜４でないと判断した場合（Ｓ２９：Ｎｏ）、Ｖ＿ｇａｉｎ＝Ｖ＿ｇａｉｎ−ｄｉｆＮを計算し、ＧａｉｎをＶ＿ｇａｉｎとする（Ｓ３１）。また、ＤＳＰ３は、Ｎ＿ａｖｇを、ｍｅａｓＮ＿ａｖｇとする。
【００４６】
ＤＳＰ３は、Ｓ２５、Ｓ２６、Ｓ３０、Ｓ３１の処理の後、ｉ＝＝ｔであるか否かを判断する（Ｓ３２）。ＤＳＰ  は、ｉ＝＝ｔであると判断した場合（Ｓ３２：Ｙｅｓ）、ｉ＝＝０に設定する（Ｓ３３）。ＤＳＰ３は、ｉ＝＝ｔでないと判断した場合（Ｓ３２：Ｎｏ）、ｉ＝ｉ＋１に設定する（Ｓ３４）。ＤＳＰ３は、Ｓ３３、Ｓ３４の処理の後、Ｓ１８の処理を実行する。本実施形態では、ＤＳＰ３は、ノイズレベルが、４ｄＢ以上増加した場合、スピーカーに出力する信号のゲインを増加させる。また、ＤＳＰ３は、ノイズレベルが、４ｄＢ以上減少した場合、スピーカーに出力する信号のゲインを減少させる。
【００４７】
ここで、先行技術との差異を説明する。特開２０１１−１１２７１０号公報に係る発明においては、周囲の騒音に対して、音量を調整するか否かの閾値が多段に設けられている。このため、ユーザーは、閾値の設定が面倒であり、また、閾値の間隔によっては、ユーザーが「聞き取りにくい」又は「うるさい」と感じることが生じる可能性がある。一方で、本実施形態では、ユーザーは、所望のＳＮ（音量）を設定すれば、それに基づいて、スピーカー装置１から出力される信号のゲインが変化されるため、設定が簡単である。
【００４８】
特開平１０−１７８６９５号公報に係る発明においては、ノイズと信号との差から、変化させるゲインを決定している。この場合、ノイズと信号との両方を観察する必要がある。また、ダイナミックレンジが小さくなる可能性がある。一方で、本実施形態では、ノイズの変化量に応じて、ゲインを調整している。これにより、信号を観察せずに、レベルを決定することが可能である。また、リプレイゲインによって、音源レベルの統一がなされている。これにより、音源のダイナミックレンジを保持することが可能である。
【００４９】
特開２０１１−１１２７１０号公報、及び、特開平１０−１７８６９５号公報には、エコーキャンセルについての記載も示唆もない。このため、自機器が、出力した音によって、ゲインが変動する可能性がある。一方で、本実施形態では、エコーキャンセルに、音源データとゲインの情報とが入力される。これにより、スピーカー装置１が出力した音によって、ゲインが変動しない。
【００５０】
特開平１０−１７８６９５号公報に係る発明においては、規定の閾値によって、ゲイン調整がなされている。この場合、閾値の幅が大きすぎると、ユーザーが、「聞こえない」又は「うるさい」とい感じてしまう可能性がある。一方で、本実施形態では、ノイズが±４ｄＢ以上変動したときに、信号のゲインを再設定する。これにより、ユーザーに、「聞こえない」又は「うるさい」と感じさせずに、ゲインを調整することができる。
【００５１】
特開２００９−２８８７０７号公報、及び、特開２０１０−０１４９６０号公報に係る発明においては、信号を解析し、音楽信号であるか、音声信号であるかを判定している。この場合、計算量が多くなる。一方で、本実施形態では、ＤＳＰ３は、ＣＰＵ２からの判別信号によって、経路を切り替えている。これにより、信号を観察しなくてもよい。
【００５２】
以上説明したように、本実施形態では、ＤＳＰ３は、マイク４により集音された音（ノイズ）が、±４ｄＢ（所定値）以上変化した場合、スピーカーに出力する信号のゲインを変化させる。これにより、スピーカーから出力される信号のゲインが、ノイズの変化量に追従することになり、ユーザーにとって最適な再生を行うことができる。
【００５３】
また、本実施形態では、ＤＳＰ３は、スピーカーに出力する信号が、音声信号である場合、所定帯域のゲインを変化させる。例えば、ＤＳＰ３は、音声帯域（３００Ｈｚ〜４．８ｋＨｚ）のゲインを変化させる。これにより、ユーザーは、音声を聴きやすくなる。
【００５４】
また、本実施形態では、ＤＳＰ３は、スピーカーに出力する信号が、音楽信号である場合、音楽信号に対して、音楽信号用のイコライザーを実行する。これにより、音楽信号に適したイコライザーが実行される。
【００５５】
また、本実施形態では、ＤＳＰ３は、スピーカーに出力する信号が、音声信号である場合、音声信号に対して、音声信号用のイコライザーを実行する。これにより、音声信号に適したイコライザーが実行される。
【００５６】
また、本実施形態では、ＣＰＵ２は、音楽信号のタグ情報に含まれているゲインの情報に基づいて、音楽信号のゲインを調整する（リプレイゲイン）。これにより、信号レベルが一定となる。
【００５７】
また、本実施形態では、ＤＳＰ３は、ＣＰＵ２から通知される音楽信号であるか音声信号であるかの情報に基づいて、経路を切り替える。これにより、ＤＳＰ３は、経路切り替えのために、信号を解析する必要がないため、計算量が多くならない。
【００５８】
また、本実施形態では、ＤＳＰ３は、マイク４により集音された音にエコーキャンセルを行う。これにより、スピーカー装置１からの出力による音量の変化が防止される。また、マイク４により集音された音から、騒音（ノイズ）が抽出される。
【００５９】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００６０】
上述の実施形態においては、ＤＳＰ３は、スピーカーに出力する信号が、音声信号である場合、音声帯域（３００Ｈｚ〜４．８ｋＨｚ）のゲインを変化させる。これに限らず、ＤＳＰ３は、音声に特に影響する周波数である、６００Ｈｚ〜１．２ｋＨｚ、及び、２．４ｋＨｚ〜４．８ｋＨｚのゲインを変化させるようになっていてもよい。ただし、この場合、音声を発する人物の人物像が変化してしまうため、音声帯域のゲインを変化させることが好ましい。
【産業上の利用可能性】
【００６１】
本発明は、スピーカー装置に好適に採用され得る。
【符号の説明】
【００６２】
１  スピーカー装置
２  ＣＰＵ（制御部）
３  ＤＳＰ（信号処理部）
４  マイク
【図１】
2020155826.tif 000003
【図２】
2020155826.tif 000004
【図３】
2020155826.tif 000005
【図４】
2020155826.tif 000006
【図５】
2020155826.tif 000007